(57)【要約】【課題】製造コストが低く、使用寿命が長い入力ペンを提供すること。【解決手段】本発明に係る入力ペンは、内側に突出部が設けられたスリーブ及び筆先部を含む筆芯部を備える。前記筆芯部の前記筆先部から離れる一端には少なくとも１つの挟持アームが延伸されており、各挟持アームは前記突出部に対応する係止凹口を有する。前記突出部を前記係止凹口に係合することにより、前記筆芯部を前記スリーブ内に装着する。【選択図】図１
2011154672.tif 000002
【特許請求の範囲】
【請求項１】
内側に突出部が設けられたスリーブ及び筆先部を含む筆芯部を備える入力ペンにおいて、
前記筆芯部の前記筆先部から離れる一端には少なくとも１つの挟持アームが延伸されており、各挟持アームには前記突出部に対応する係止凹口が開設されており、
前記突出部を前記係止凹口内に係合することにより、前記筆芯部を前記スリーブ内に装着することを特徴とする入力ペン。
【請求項２】
前記入力ペンは、ロッド部及び前記ロッド部の端縁から延伸される係止爪を含む位置決め部材をさらに備え、
前記ロッド部は、前記挟持アームを前記スリーブの内壁側に押圧し、且つ前記筆芯部の一端に当止され、
前記係止爪は、前記筆芯部と係合して前記ロッド部を前記筆芯部に固定することを特徴とする請求項１に記載の入力ペン。
【請求項３】
前記筆芯部には、前記筆芯部を貫通する係止開口が開設され、前記係止爪は、前記係止開口内に係合されることを特徴とする請求項２に記載の入力ペン。
【請求項４】
前記ロッド部の両側には、それぞれ止め部が凸設され、前記止め部は、前記筆芯部の挟持アームに当止されることを特徴とする請求項３に記載の入力ペン。
【発明の詳細な説明】
【技術分野】
【０００１】
本発明は、入力ペン、特に携帯式電子装置に用いられる入力ペンに関するものである。
【背景技術】
【０００２】
タッチパネル技術の発展に伴い、現在市販されている携帯電話、個人用携帯情報端末（ＰＤＡ）及びパソコン等のような携帯式電子装置は、殆んどタッチスクリーンを採用する。これらの携帯式電子装置は、一般的に入力ペンを入力手段とする。
【０００３】
従来の入力ペンは、スリーブ及び前記スリーブに連接する筆先部を含む。しかし、前記スリーブと前記筆先部とは、通常異なる材質から製作され、且つ前記スリーブには焼付け塗装などのプロセスが必要とされるが、前記筆先部には上記プロセスが必要ではない。そのため、現実の製造プロセスにおいて、前記スリーブと前記筆先部を分離して設計且つ加工してから、前記筆先部を前記スリーブに螺合する。しかし、前記筆先部にねじ山を加工するのに専門のプレス機を買わなければならないため、コストアップになる。しかも、時間がたつにつれて、ねじ山の組み合せにより一体に組み立てた入力ペンはゆるみ易いため、入力ペンの使用寿命に影響を及ぼす。
【発明の概要】
【発明が解決しようとする課題】
【０００４】
本発明は、製造コストが低く、使用寿命が長い入力ペンを提供することを目的とする。
【課題を解決するための手段】
【０００５】
前記課題を解決するために、本発明に係る入力ペンは、内側に突出部が設けられたスリーブ及び筆先部を含む筆芯部を備える。前記筆芯部の前記筆先部から離れる一端には少なくとも１つの挟持アームが延伸されており、各挟持アームは前記突出部に対応する係止凹口を有する。前記突出部を前記係止凹口に係合することにより、前記筆芯部を前記スリーブ内に装着する。
【発明の効果】
【０００６】
従来の技術と比べると、本発明に係る入力ペンにおいて、前記スリーブの突出部は前記筆先部の挟持アームと互いに係合して一体に組み合せられる。前記挟持アームと前記突出部との係合構造が簡単で安定したものであるため、本発明の入力ペンは製造し易く、コストを下げることができ、且つ前記筆先部は前記スリーブに対してゆるむことがなく、本発明の入力ペンは使用寿命が長くなる。
【図面の簡単な説明】
【０００７】
【図１】本発明に係る入力ペンの分解図である。
【図２】図１に示した入力ペンの組立て図である。
【図３】図２に示した入力ペンのＩＩＩ−ＩＩＩ線に沿う断面図である。
【発明を実施するための形態】
【０００８】
本発明の入力ペンは携帯電話、個人用携帯情報端末（ＰＤＡ）及びパソコン等のような携帯式電子装置に適用する。以下、図面を参照しながら本発明の実施形態に係る入力ペンに対して詳しく説明する。
【０００９】
図１に示すように、本発明の入力ペン１００は、スリーブ１０、筆芯部２０、位置決め部材３０及びキャップ４０を含む。前記筆芯部２０は、前記スリーブ１０内に装着される。前記位置決め部材３０は、前記スリーブ１０内に収納され且つ前記筆芯部２０と互いに係合する。前記キャップ４０は、前記筆芯部２０上に被せられる。
【００１０】
前記スリーブ１０は、四つの側壁１２を含み、前記四つの側壁１２はともに収容空洞部１４を囲んで形成する。そのうち、相対する２つの側壁１２の内壁にはそれぞれ突出部１２２（図３を参照）が向き合うように凸設されている。
【００１１】
前記筆芯部２０は、中空の柱状体である主体部２２及び前記主体部２２に連接する筆先部２４を含む。前記主体部２２の前記筆先部２４から離れる一端には２つの挟持アーム２２２が延伸されている。前記２つの挟持アーム２２２が対称的に設置されて、前記筆芯部２０をスリーブ１０内に固着することに用いられる。前記主体部２２上には、前記位置決め部材３０と係合するための２つの係止開口２２４が開設されている。各挟持アーム２２２の外表壁には、前記スリーブ１０の突出部１２２と係合するための係止凹口２２２２が開設されている。前記筆先部２４と前記主体部２２との接続する部位には、前記キャップ４０を固定するための係止溝２４２が開設されている。前記筆芯部２０は、ポリフォルムアルデヒド（ＰＯＭ）のような摩擦に耐える弾性材料から製作される。
【００１２】
前記位置決め部材３０は、２つの係止爪３２、基部３４及び前記係止爪３２と基部３４とを連接するロッド部３６を含む。前記２つの係止爪３２は、前記ロッド部３６の一端から間隔をあけて延伸されている。各係止爪３２の端部には、他方の係止爪３２に背けるフック３２２が設置されている。前記フック３２２を前記筆芯部２０の係止開口２２４に係合することにより、前記ロッド部３６を前記筆芯部２０に固定できる。前記ロッド部３６の各側壁上には止め部３６２が凸設されている。前記２つの止め部３６２は対称に設置される。
【００１３】
前記キャップ４０の内側には、突起部４２が凸設されている。前記突起部４２は前記筆芯部２０の係止溝２４２内に着脱可能に係止される。
【００１４】
以下、図１乃至図３を参照しながら、本発明の入力ペン１００の組立てステップについて説明する。
【００１５】
まず、前記筆芯部２０の主体部２２を前記スリーブ１０の収容空洞部１４内に挿入すると、前記スリーブ１０の突出部１２２は前記主体部２２の２つの挟持アーム２２２を向き合うように湾曲させて、それに弾発力を蓄積させる。前記突出部１２２が前記主体部２２の係止凹口２２２２と位置合わせした時に、前記挟持アーム２２２の弾発力の解放によって、その係止凹口２２２２が前記スリーブ１０の突出部１２２に係合される。このように、前記筆芯部２０は前記スリーブ１０内に装着される。
【００１６】
次に、前記位置決め部材３０を前記スリーブ１０の他端から前記スリーブ１０内に挿入する。前記位置決め部材３０の２つの係止爪３２は前記筆芯部２０の２つの挟持アーム２２２の間に挿入されると、前記係止爪３２は前記挟持アーム２２２の圧縮によって弾発力が蓄積される。同様にして、前記係止爪３２のフック３２２が前記筆芯部２０の係止開口２２４に位置合わせした時に、前記係止爪３２の弾発力の解放によって、そのフック３２２が前記係止開口２２４内に係合される。この場合、前記位置決め部材３０のロッド部３６の一部は前記筆芯部２０の２つの挟持アーム２２２の間に収納されて、前記ロッド部３６の止め部３６２は前記挟持アーム２２２と互いに当止される。このように、前記位置決め部材３０のＸ方向での自由度は、前記止め部３６２と前記挟持アーム２２２との当接及び前記フック３２２と係止開口２２４との係合により規制される。その上、前記ロッド部３６は前記２つの挟持アーム２２２の間に保持されるため、前記位置決め部材３０のＹ方向での自由度も規制される。従って、前記位置決め部材３０は前記筆芯部２０の一端に安定して固定される。
【００１７】
最後に、前記キャップ４０を前記筆芯部２０の筆先部２４上に被せて、前記キャップ４０の突起部４２を前記筆芯部２０の係止溝２４２内に係合する。これで、前記入力ペン１００の組み立てを完成する。
【００１８】
前記止め部３６２は、前記位置決め部材３０のＸ方向での自由度を規制して、前記位置決め部材３０を前記筆芯部２０に確実に固定する役割を果たしている。なお、この効果を得るため、前記フック３２２の大きさや形状を前記係止開口２２４と同じように設計して、前記フック３２２と前記係止開口２２４との組み合せにより前記位置決め部材３０を確実に前記筆芯部２０に固定してもよい。即ち、前記止め部３６２を省略してもよい。
【００１９】
本発明の入力ペン１００において、前記筆芯部２０の挟持アーム２２２は前記スリーブ１０内に係止され、且つ前記位置決め部材３０は前記２つの挟持アーム２２２の間に保持されるから、前記２つの挟持アーム２２２は側壁１２に対して押し付けられるようになることによって、その係止凹口２２２２を前記スリーブ１０の突出部１２２に安定して係合させる。従って、本発明の入力ペン１００の筆先部２４はスリーブ１０に対してゆるむことがなく、使用寿命が長くなる。また、本発明の入力ペン１００の各部品の構造や互いの組み合せが簡単であるため、製造し易く、コストを下げることができる。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２１】
１０      スリーブ
１２      側壁
１４      収容空洞部
２０      筆芯部
２２      主体部
２４      筆先部
３０      位置決め部材
３２      係止爪
３４      基部
３６      ロッド部
４０      キャップ
４２      突起部
１００    入力ペン
１２２    突出部
２２２    挟持アーム
２２４    係止開口
２４２    係止溝
３２２    フック
３６２    止め部
２２２２  係止凹口
【図１】
2011154672.tif 000003
【図２】
2011154672.tif 000004
【図３】
2011154672.tif 000005